(57)【要約】【課題】足場のパイプやものにあたった際の衝突音を大幅に軽減できる新規な作業用ヘルメットの提供。【解決手段】作業員の頭部を保護する帽体１０の外表面にその頭頂部から前後に亘ってコムやポリウレタンフォームなどからなる帯状の緩衝体６０を備える。これにより、作業中に帽体１０に足場のパイプやものがあたった際の衝撃がその緩衝体６０によって緩衝されるため、大きな衝突音が発生するのを効果的に抑制できる。また、帯状の緩衝体６０によって帽体１０が傷ついたり損傷するのを防止できる。【選択図】図１
2019108621.tif 000002
【特許請求の範囲】
【請求項１】
帽体の外表面を緩衝体で覆ったことを特徴とする作業用ヘルメット。
【請求項２】
帽体の外表面であって、その頭頂部からその前後に亘って帯状の緩衝体を備えたことを特徴とする作業用ヘルメット。
【請求項３】
請求項２に記載の作業用ヘルメットにおいて、
前記帽体の外表面であって、その周辺部の周方向にも帯状の緩衝体を備えたことを特徴とする作業用ヘルメット。
【請求項４】
請求項１乃至３のいずれかに記載の作業用ヘルメットにおいて、
前記緩衝体が、天然ゴムまたは合成ゴムあるいはポリウレタンフォームを主体とする材料からなることを特徴とする作業用ヘルメット。
【発明の詳細な説明】
【技術分野】
【０００１】
本発明は、工事現場や建設・作業現場などで作業員の頭部の安全性確保のために使用される作業用ヘルメットに関する。
【背景技術】
【０００２】
係る従来の作業用ヘルメット（安全帽）は、一般に半球状をした合成樹脂製の帽体の内側に衝撃吸収用のライナーを備えると共に、そのライナーの内側に装着体とあごひもとを備えた構造となっており、飛来物や落下物の衝突による衝撃や障害物への接触による衝撃などを軽減すると共に、感電、墜落などの危険を防止する役割を果たしている。また、近年ではこのような基本的な機能に加え、蒸れや暑さ対策を考慮したものやより安全性を向上させたものなど種々新たなものが提案されている。
【０００３】
例えば、以下の特許文献１ではヘルメット本体の頂部に通気孔を形成し、ヘルメット本体内の暑気をその通気孔から効率的に排出することで頭部の蒸れを防止したヘルメットが提案されている。また、以下の特許文献２では、帽体の後頭部側縁と着用者の後頭部から首筋にかけての間にファンモータなどを付設することによって帽体内を強制的に換気するようにした換気機能付きヘルメットが提案されている。また、以下の特許文献３などには、透明板やネットなどからなる保護シールドを帽体の前頭部に装着して作業者の顔面を覆うことで安全性を向上させた作業用ヘルメットが提案されている。
【先行技術文献】
【特許文献】
【０００４】
【特許文献１】特開２００９−２７５２９９号公報
【特許文献２】特開２０１２−１８０６０６号公報
【特許文献３】特開２０１３−１４７７５７号公報
【発明の概要】
【発明が解決しようとする課題】
【０００５】
ところで、従来の作業用ヘルメットは、帽体部分がＦＲＰ（繊維強化プラスチック）やＡＢＳなどの合成樹脂から形成されているため、軽く物にぶつかっただけでも大きな衝突音が発生するといった問題がある。例えば、帽体部分が足場のパイプに軽くぶつかった場合やドライバーやペンチなどの軽量物が落下してきて帽体部分にあたった場合などは、その衝撃力自体はそれほど大きくなくても、あたった際の衝撃が帽体全体に分散されて帽体全体が震えることによって思いの外大きな衝突音が発生することがある。特にこの帽体は頭頂部から両耳の近くまで覆っているため、他人からしてみれば僅かな衝突音でも本人にはかなり大きく感じてしまう。
【０００６】
そこで、本発明はこれらの課題を解決するために案出されたものであり、その目的は、ものにあたった際の衝突音を大幅に軽減できる新規な作業用ヘルメットを提供することにある。
【課題を解決するための手段】
【０００７】
前記課題を解決するために第１の発明は、帽体の外表面を緩衝材で覆ったことを特徴とする作業用ヘルメットである。このような構成によれば、帽体にものがあたった際の衝撃がその外表面を覆う緩衝体によって緩和されるため、大きな衝突音が発生するのを防止できる。
【０００８】
第２の発明は、帽体の外表面であって、その頭頂部からその前後に亘って帯状の緩衝材を備えたことを特徴とする作業用ヘルメットである。このような構成によれば、第１の発明と同様な効果が得られると共に、帽体の外表面のうち最もものがあたりやすい部分のみに帯状の緩衝体を備えることで帽体の重量増加も抑制できる。
【０００９】
第３の発明は、第２の発明において、前記帽体の外表面であって、その周辺部の周方向にも帯状の緩衝体を備えたことを特徴とする作業用ヘルメットである。このような構成によれば、帽体の周辺部の周方向からの衝突に対する衝突音も効果的に抑制できる。
【００１０】
第４の発明は、第１乃至３のいずれかに記載の作業用ヘルメットにおいて、前記緩衝体が、天然ゴムまたは合成ゴムあるいはポリウレタンフォームを主体とする材料からなることを特徴とする作業用ヘルメットである。このような材料を用いることにより、衝突時の衝撃を緩和して効果的に衝突音を軽減することができる。
【発明の効果】
【００１１】
本発明の作業用ヘルメットは、帽体の外表面を緩衝体で覆ったため、帽体にものがあたった際の衝撃がその外表面を覆う緩衝体によって緩衝されるため、大きな衝突音が発生するのを効果的に抑制できる。
【図面の簡単な説明】
【００１２】
【図１】本発明に係る作業用ヘルメット１００の実施の一形態を示す斜視図である。
【図２】本発明に係る作業用ヘルメット１００の実施の一形態を示す縦断面図である。
【図３】図２中Ａ部を示す部分拡大図である。
【図４】本発明に係る作業用ヘルメット１００の実施の一形態を示す斜視図である。
【発明を実施するための形態】
【００１３】
以下、本発明の実施の形態を添付図面を参照しながら説明する。図１乃至図３は、本発明に係る作業用ヘルメット１００の実施の一形態を示したものである。図示するようにこの作業用ヘルメット１００は、帽体１０と、衝撃吸収ライナー２０と、ハンモック３０と、ヘッドバンド４０と、あごひも５０とから構成されている。
【００１４】
帽体１０は、半球状をした帽体本体１１の端部に鍔部１２を一体的に形成したものであり、作業員などの頭部全体を覆うようになっている。この帽体１０は、ＦＲＰ（繊維強化プラスチック）やＡＢＳ（アクリロニトリルブタジエンスチレン）、ＰＣ（ポリカーボネート）、ＰＥ（ポリエチレン）などの軽量で強度の高い合成樹脂から形成されており、強い衝撃があった場合にはその衝撃を分散させると共に、それ自体が変形したり、割れるなどしてその衝撃を緩和するようになっている。
【００１５】
衝撃吸収ライナー２０は、発泡スチロールなどの衝撃吸収体から構成されており、帽体１０の内側全体に所定の厚さ、例えば１０〜３０ｍｍの厚さで形成されている。そして、帽体１０に強い衝撃が加わった際には、この衝撃吸収ライナー２０が潰れるなどして頭部へ衝撃を緩和するようになっている。
【００１６】
ハンモック３０は、複数の帯体（本実施の形態では２本）３１、３１から構成されており、各帯体３１，３１をその中間部分で交差させると共に、それぞれの両端を帽体１０の内側縁部に連結して取り付けられている。そして、このハンモック３０の帯体３１，３１は、衝撃吸収ライナー２０の内面の長さよりも短くなっており、これによってこの帽体１０を装着する作業員の頭部と帽体１０との間に所定の間隙Ｓを保持することで帽体１０に加わった衝撃が直接頭部に伝わらないようになっている。
【００１７】
ヘッドバンド４０は、帽体１０の内側であってその周方向に延びるように設けられた環状の帯体であり、これを装着する作業員の前頭部から側頭部を介して後頭部に位置することで帽体１０を頭部にしっかりと支える機能を有している。あごひも５０は、帽体１０の両側から垂れるように設けられた一対の側紐部５１，５１と、この側紐５１，５１間を連結するあご紐部５２とから構成されており、装着した帽体１０を頭部にしっかりと固定するようになっている。
【００１８】
また、図示するようにこの帽体１０の外表面であって、その頭頂部にはその前後に亘って帯状の緩衝体６０が設けられている。この緩衝体６０は、天然ゴムまたは合成ゴムあるいはポリウレタンフォームを主体とする材料から構成されており、接着剤や両面テープなどによって帽体１０の外表面に直接貼り付けられている。ここで、この帯状をした緩衝体６０のサイズとしては、特に限定されるものでないが、例えば幅２０〜１００ｍｍ、長さ２００〜３００ｍｍ、厚さ１０ｍｍ以下程度のものが最適である。
【００１９】
このような構成をした作業用ヘルメット１００にあっては、強い衝撃に対しては帽体１０や衝撃吸収ライナー２０が変形したり潰れたりすることでその衝撃を効果的に緩和する。一方、頭上からドライバーやペンチなどの軽量物が落下してきたなどの軽い衝撃に対しては、この帽体１０の外表面に設けられた帯状の緩衝体６０が帽体１０を覆うように保護しているため、それらがあたった際に大きな衝突音が発生するのを防止できる。
【００２０】
これによって、作業員の心理的な不安感やストレスを大幅に軽減できるだけでなく、帽体１０自体の損傷も回避できるため、帽体１０の寿命を延ばすことができる。なお、この緩衝体６０が損傷したり経時劣化してきた場合には、帽体１０から古いものを剥がし新しいものに適宜交換することでその機能を長期に亘って発揮することができる。
【００２１】
なお、本実施の形態では、帯状の緩衝体６０を帽体１０の外表面であってその頭頂部の前後に亘って設けた例を示したが、図４に示すように頭頂部から側頭部に亘ってクロス状に設けたり、帽体１０の周辺部の周方向に鉢巻き状に設けても良い。さらに、吹き付け塗装の如く帽体１０の外表面全体を覆うようにこの緩衝体６０を設けた構成であっても良い。また、この緩衝体６０を赤やオレンジ、虹色、蛍光色または黒（帽体が白色の場合）などの目立つ色にし、その存在をアピールするようにしても良い。
【符号の説明】
【００２２】
１００…作業用ヘルメット
１０…帽体
１１…帽体本体
１２…鍔部
２０…衝撃吸収ライナー
３０…ハンモック
３１…帯体
４０…ヘッドバンド
５０…あごひも
５１…側紐部
５２…あご紐部
６０…緩衝体
Ｓ…間隙
【図１】
2019108621.tif 000003
【図２】
2019108621.tif 000004
【図３】
2019108621.tif 000005
【図４】
2019108621.tif 000006